(57)【要約】【課題】  パニック対抗開放装置を有する補助防護モジュールを提供する。【解決手段】  パニック対抗開放装置（１６）を備えたドアー（１０）のための補助安全モジュールであって：引き出された位置と後退した位置の間で可動の回転式ロック用部材（３４）、ロック用部材（３４）をその引き出された位置内に付勢保持する第１弾性要素（４４）、第１位置と第２位置の間で可動の滑動体（４６）、滑動体（４６）とロック用部材（３４）に作動可能に組み合わされかつ滑動体（４６）とロック用部材（３４）の間に一義的な相互関係を構成するように配置された伝達機構（５２）を備え、滑動体（４６）がその第１位置にある時、ロック用部材（３４）は引き出された位置にあり、かつ滑動体（４６）が第２位置にある時、ロック用部材（３４）が後退した位置を占めるように構成されている。【選択図】図２
2008038596.tif 000002
【特許請求の範囲】
【請求項１】
パニック対抗開放装置（１６）を備えたドアー（１０）のための補助安全モジュールであって：
−引き出された位置と後退した位置の間で可動の回転式ロック用部材（３４）、
−ロック用部材（３４）をその引き出された位置内に付勢保持する第１弾性要素（４４）、
第１位置と第２位置の間で可動の滑動体（４６）、
−滑動体（４６）とロック用部材（３４）に作動可能に組み合わされかつ滑動体（４６）とロック用部材（３４）の間に一義的な相互関係を構成するように配置された伝達機構（５２）であって、従って滑動体（４６）がその第１位置にある時、ロック用部材（３４）は引き出された位置にあり、かつ滑動体（４６）が第２位置にある時、ロック用部材（３４）が後退した位置を占める、伝達機構、
―可動フィーラー（５４）であって、突出部分（５６）および保持部分（５８）を備え、滑動体（４６）と協働し、フィーラー（５４）が噛合位置と非噛合位置の間で可動とされている可動フィーラー、
第２の弾性要素であってフィーラー（５４）と組み合わされかつフィーラー（５４）を上記噛合位置へ付勢保持する第２弾性要素、を包含し、
ここでフィーラー（５４）が非噛合位置にある時、滑動体（４６）が第１位置および第２位置およびその逆に移動自在でありかつフィーラー（５４）が噛合位置にある時、滑動体（４６）がその第２位置にロックされるように構成されている、安全モジュール。
【請求項２】
請求項１に記載の防護モジュールであって、ロック用モジュール（３４）が滑動体（４６）の運動方向に対して直角方向に延びる枢支ピン（４２）に連結されていることを特徴とする、防護モジュール。
【請求項３】
請求項２に記載の防護モジュールであって、フィーラー（５４）がロック用レバー形であり、突出部分（５６）を備えかつ噛合部分（５８）が中央連結部分に対して反対側に配置されていることを特徴とする、防護モジュール。
【請求項４】
請求項３に記載の防護モジュールであって、フィーラー（５４）が枢支ピン（７０）周りに連結されており、上記ピンは滑動体（４６）の運動方向と直交しておりかつロック用部材（３４）の筒耳（４２）に対して直交していることを特徴とする、防護モジュール。
【請求項５】
請求項３に記載の防護モジュールであって、フィーラー（５４）が周りにロック用部材（３４）が連結されているのと同じ筒耳（４２）周りに連結されていることを特徴とする、防護モジュール。
【請求項６】
請求項５に記載の防護モジュールであって、それが周りにロック用部材（５４）が連結されているのと同じ筒耳（４２）周りに連結されている揺動ばねラッチ（６４）を包含していることを特徴とする、防護モジュール。
【請求項７】
請求項６に記載の防護モジュールであって、ばねラッチ（６４）がその中にフィーラー（５４）の収容されているスリット（７２）を備えていることを特徴とする、防護モジュール。
【請求項８】
請求項６に記載の防護モジュールであって、揺動ばねラッチ（６４）が滑動体（４６）に対して接続されておりかつ滑動体（４６）の第１位置に対応する引き出された位置と滑動体（４６）の第２位置に対応する後退位置の間で可動とされていることを特徴とする、防護モジュール。
【請求項９】
請求項３に記載の防護モジュールであって、フィーラー（５４）が滑動体（４６）の運動方向に対して平行な枢支ピン（４６）周りに連結されていることを特徴とする、防護モジュール。
【発明の詳細な説明】
【技術分野】
【０００１】
本発明は一般にパニック対抗開放装置付きのドアーに関する。
【０００２】
ドアーのための典型的なパニック対抗装置は作動用バーを包含し、このバーは主ばねラッチの非噛合を命令する。主ばねラッチに加えて、パニック対抗開放装置を備えているドアーは上方および下方のばねラッチを有する補助閉塞機構を備えることができ、上記両ラッチは垂直ロッド手段により作動装置に連結されている。
【０００３】
パニック対抗開放装置を備えたドアーは一般に夜盗の試みに対して僅かしか保護を提供しないという不具合を備えている。
【０００４】
パニック対抗開放装置を装着したドアーの夜盗に対する防護の程度を高めることは極めて困難である。パニック対抗開放装置のための関連標準には、ドアーに対してばねラッチを加圧する相当大きい負荷が加えられていても、作動用バー上に非常に小さい力を加えることによりドアーは開放されなければならないと記載されている。追加の防護閉塞機構は上記標準により記載されている条件下でパニック対抗装置の開放能力を危険に晒すものであってはならずかつドアーの各開放および閉塞の後にも閉塞防護状態を再構築しなければならない。
【発明の開示】
【発明が解決しようとする課題】
【０００５】
本発明の目的はドアーのために補助防護モジュールを提供し、このドアーは上記要望に適合し得るパニック対抗開放装置を備えているものである。
【０００６】
本発明によると、上記目的は請求項１内に記載されている特徴を有する補助防護モジュールにより達成される。
【発明を実施するための最良の形態】
【０００７】
図１において、符号１０は単翼ドアーを明示しており、このドアーは固定フレーム１２および開放可能ウイング１４を包含している。このウイング１４は知られたタイプの開放パニック対抗装置１６を備えている。この装置１６はバー２０により作動される作動アセンブリー１８を包含している。作動アセンブリー１８はばねラッチ２２を包含しており、このラッチは固定フレーム１２の垂直起立材に対して固定された迫持台２４と協働する。作動アセンブリー１８は更に２つの垂直なロッド２６、２８を包含しており、これらは、バー２０の作動の結果として、矢印３０により指示されている方向に動く。パニック対抗装置１６の構造および作動は詳細には記載されておらず、何故ならばそれらは本発明の範囲外であるからである。
【０００８】
ウイング１４は本発明による２個の補助防護モジュールを備えており、これらは開放可能なウイングに対してその上端部および下端部の処で固着されている。防護モジュール３２はパニック対抗開放装置１６のロッド２６、２８に連結されておりかつそれらはそれぞれの拘束部材３４を備えており、その各々は固定フレーム１２に対して固着されている噛合シート３６と協働している。
【０００９】
図２ないし４において、各補助防護モジュール３２はサポートケース３８を包含しており、これは開放可能ウイング１４に対して、例えばねじ４０により固着されている。ロック用部材３４はケース３８に対してピボットピン４２周りに枢支されておりかつそれは噛合端部を備え、それは好ましくはフックの形をしている。ロック用部材３４は図２および３内に示されている引き出された位置および図４内に示されている後退位置の間で可動である。第１弾性要素４４はロック用部材３４を引き出された位置に保つように付勢している。図２ないし５内に示されている例においては、第１弾性要素４４はピンにより構成されており、このピンは筒耳４２に対して軸方向にばね支持されている。
【００１０】
図２ないし５において、軸方向防護モジュール３２は滑動体４６を包含しており、この滑動体はケース３８内で図２、３および５内に示されている第１位置と図４内に示されている第２位置の間で可動である。滑動体４６は孔付きのベース４８を備えており、その孔を通してロッド２６の一端部が遊びをもって延びている。ベース４８を越えて突出しているロッド２６の端部上には拡開ヘッド５０が固着されている。
【００１１】
滑動体４６は伝達機構手段によりロック用部材３４に連結されており、この伝達機構手段は滑動体４６の位置とロック用部材３４の間の一義的な相互関係を確立している。この伝達機構はラックおよびギヤーホイール機構５２（図２および３内に部分的にのみ見得る）により構成されることができ、この機構はロック用部材３４と一体の歯付きセクターを包含しかつ滑動体４６と一体のラックと噛合している。滑動体４６が図２、３および５内に示されている第１位置内にある時、ロック用部材３４は引き出された位置にある。滑動体４６が図４内に示されている第２位置にある時、ロック用部材３４はその後退位置にある。ロック用部材の引き出された位置および後退位置はそれぞれ固定フレーム１２上に設けられているシート３６と噛合および非噛合位置と対応している。ロック用部材３４をその引き出された位置へ付勢しようとする同じ弾性要素４４もまた滑動体４６をその第１位置へ付勢する。
【００１２】
補助防護モジュール３２は可動フィーラー５４を包含しており、このフィーラーは突出部分５６および保持用部分５８を備えている。フィーラー５４の保持用部分５８は滑動体４６の噛合シート６０と協働する。フィーラー５４は図２、３および５内に示されている非噛合位置と図４内に示されている噛合位置の間で可動である。図２ないし図５内に示されている実施例においては、フィーラー５４はケース３８に対して同じ枢支ピン４２周りに接続されているロック用レバーにより構成されており、このピン上にロック用部材３４が連結されている。突出部分５６および噛合部分５８は筒耳４２に対して反対側の部材から延びている。フィーラー５４は第２の弾性要素６２に対して組み合わされており、この第２弾性要素はフィーラー５４をその噛合位置へ付勢勝手とされている。
【００１３】
ウイング１４が閉塞されている時、本発明による補助防護モジュール３２は図２、３および５内に示されている外形にある。この外形において、ロック用部材３４はその引き出された位置にありかつ固定フレーム１２に対して固定されているシート３６と噛合している。滑動体４６はその第１位置にあり、その位置では噛合シート６０はフィーラー５４の噛合部分５８に関連してオフセットしている。フィーラー５４の突出部分５６は固定フレーム１２のシート３６に対して押している。このフィーラー５４は第２弾性要素６２の動作に対抗して非噛合位置内に保持されている。フィーラー５４の噛合部分５８は滑動体４６のシート６０から非噛合されている。この外形において、滑動体４６はケース３８に対して摺動自在である。
【００１４】
パニック対抗装置１６の作動用レバー２０を押すと、ロッド２６は図２、３および４内に矢印３０により指示されている方向に直線的に動く。ロッド３０のこの動きは滑動体４６の第１から第２位置への動きを起こし、これはロック用部材３４を引き出された位置から後退位置への動きを起こす。第２位置において、滑動体４６のシート６０はフィーラー５４の噛合部分５８に対して整合される。滑動体４６が第２位置にありかつロック用部材３４がその第２位置にある時、ウイング１４はアンロックされかつ開放可能となる。ウイング１４を開けると、フィーラー５４は第２弾性要素６２によりその噛合位置へ付勢され、そこで噛合部分５８は滑動体４６（図４の外形）のシート６０内に挿入される。この外形において、突出部分５６はケース３８の外側へ大幅に張り出す。滑動体４６は第２位置にロックされかつ、その結果として、ロック用部材３４は後退位置内にロックされ、これはシート３６に対しては非噛合位置である。
【００１５】
ドアーが再び閉塞された時、フィーラー５４の突出部分５６は固定シート３６を押しかつフィーラー５４は非噛合位置へ戻る。この点で、滑動体４６はその第１位置へ移動自在となる。第１弾性要素４４はロック用部材３４を引き出し位置へ付勢し、ここで固定シート３６と噛合する。これに対応して、滑動体４６はその第１位置へ移動する。
【００１６】
本発明による補助防護モジュール３２はパニック対抗装置１６に関連して追加の構成要素を示している。作動原理を変えることなく、モジュール３２はマーケット上で利用できる異なるパニック対抗装置で作動するように特別に設計されることができ、しかもパニック対抗装置の構造に対しては変更を要しない。
【００１７】
安全モジュール３２は如何なるパニック対抗開放装置に対しても付加され得るオプション部品を備えて夜盗に対する保証を強化することができる。防護モジュール３２はパニック対抗装置の作動をどのようにも変える必要はない。ロック用部材３４の固定シートからの非噛合は同時にパニック対抗装置１６のばねラッチ２２の開放を起こす。安全モジュール３２はウイングが閉塞された時自動的にロック用位置に配置され、装置のリセットのために手動の介入を要さない。
【００１８】
図２ないし図５内に示されている実施例において、フィーラー５４およびロック用部材３４は共に滑動体４６の動きの方向と直交する軸周りに回転可能である。しかしながらフィーラーピンは、滑動体４６に対して横方向に配置されることができ、これは閉塞されたドアーの検知を可能としかつドアー開放状態において滑動体４６のロック状態の作動を許容する。
【００１９】
図６ないし１１は本発明による補助防護モジュールの第２実施例を示している。以前に記述されたものと対応する詳細は同じ符号により明示されている。
【００２０】
図６において、ウイング１４は２つの補助防護モジュールを備えている。上述の実施例に対する相違点は上部補助防護モジュールに存する。上記モジュールは振動ばねラッチ６４を包含し、そのラッチは開放可能ウイング１４の上縁から突出しかつ固定フレーム１２の上部梁部材に対して固着されている固定衝合部６６と協働する。
【００２１】
図７、８および９において、補助防護モジュール３２はロック用部材３４を包含しており、その位置は滑動体４６の位置に対して一義的に相互関連しており、上述の実施例と同様である。ロッド２６の上端部は滑動体４６に対してねじ６８の手段により固着されている。以前に記述した版におけるように、ロック用部材３４は図７および９内に示されている引き出された位置と図８内に示されている後退位置の間で可動であり、上記引き出された位置は滑動体４６の第１位置に対応し、後退位置は滑動体４６の第２位置に対応している。
【００２２】
ケース３８の上端部は枢支ピン７０を押し、このピンは枢支ピン４２と直交し枢支ピン４２周りにはロック用部材３４が連結されている。ばねラッチ６４が枢支ピン７０周りにケース３８に対して連結されており図９の引き出された位置から図８の後退位置へ可動である。このばねラッチ６４はばねラッチ６４に対して接続されており、従ってばねラッチ６４は滑動体４６がその第２位置にある時には図８内に示されている後退位置にあり、かつ滑動体４６がその第１位置にある時には図９の引き出された位置を占める。
【００２３】
ばねラッチ６４はスリット７２を備えており、その中にフィーラー５４が挿入されている。このフィーラー５４は第２弾性要素６２と共同し、この弾性要素は枢支ピン７０に対して同軸に配置されているピンばねにより構成されている。
【００２４】
フィーラー５４の噛合部分５８は滑動体４６の噛合面７４と協働する。図９および１０はフィーラー５４の噛合部分５８が滑動体４６と噛合構成にある状態を示しておりかつ図９および１１は滑動体４６がフィーラー５４から非噛合となっている状態を示している。
【００２５】
図７、９および１１はウイング１４が閉塞されている状態における補助防護モジュール３２の構成を示している。この状況においては、ロック用部材３４はその引き出された位置にありかつそれはシート３６に噛合している。滑動体４６はその第１位置にある。ばねラッチ６４はその引き出された位置にありかつそれは衝合部材６６と捕獲関係で協働している。フィーラー５４は部分５６のお陰で非噛合位置を占め、この部分５６は衝合部６６と協働している。滑動体４６はそれからロッド２６の命令によりその第２位置へ自由可動となる。
【００２６】
図８および１０内に示されているウイング開放状態においては、滑動体４６はその第２位置にあり、ロック用部材３４はその引き出された位置にありかつばねラッチ６４は後退位置にある。フィーラー５４は弾性要素６０により噛合位置へ付勢されかつフィーラー５４の噛合部分５８は滑動体４６の噛合面７４と捕獲接触状態にある。補助防護モジュール３２はウイングが閉塞された時自動的に図７、９および１１の輪郭に戻され、何故ならばフィーラー５４の部分５６の上部衝合部６６との接触がフィーラー５４を非噛合位置へ押しやるからである。
【００２７】
図１２ないし１７は本発明による補助防護モジュールの第３実施例を示している。
【００２８】
図１２において、上部補助防護モジュール３２はロック用アセンブリー７６およびフィーラーアセンブリー７８を包含している。ロック用アセンブリー７６はロック用部材３４を包含しており、この部材は引き出された位置および後退位置の間で可動でありかつ滑動体４６に対して接続されていて第１位置および第２位置の間で可動であり、第１位置はロック用部材３４の引き出された位置に対応しかつ第２位置はロック用部材３４の後退位置に対応している。ロック用アセンブリー７６の滑動体４６はロッド２６の上端部に固着されている。
【００２９】
図１３において、フィーラー７８はウイング１４に固着されているケース８０を包含している。このケース８０は枢支ピン７０を支持しており、このピン周りには揺動ばねラッチ６４およびフィーラー５４が連結されている。揺動ばねラッチ６４およびフィーラー５４の配置は基本的には図７ないし１１に関連して提供された記述と同様である。フィーラーアセンブリー７８は第１および第２位置の間で可動の滑動体８２を包含している。フィーラーアセンブリー７８の滑動体８２はロッド８４の手段によりロック用アセンブリー７６の滑動体４６に対して固着されている。滑動体４６および８２はこのように第１および第２位置の間で共に可動である。滑動体８２は弾性要素８６と組み合わされており、この弾性要素は滑動体８２を第１位置へ付勢保持している。同じ弾性要素８６もロック用ユニット７６の滑動体４６を第１位置へ付勢し、その結果として、ロック用部材３４をその引き出された位置へ付勢保持している。
【００３０】
フィーラー５４の噛合部分５８は滑動体８２の噛合面８８と協働する。ドアー開放状態においては、フィーラー５４は面８８と噛合位置を占めるがドアー閉塞位置ではフィーラー５４は滑動体８２に対して非噛合位置を占める。この第３実施例の動作は第２実施例と同様である。図１３、１４および１６はドアー閉塞状態における構成部品の位置を示している。図１５、１７および１７はウイング開放状態における構成部品の位置を示している。
【００３１】
図１８ないし２３は本発明による補助防護モジュールの第４実施例を示している。この場合も同様に、前述の物に対応する詳細は同じ関連符号により明示されている。
【００３２】
この第４実施例は前記実施例と次の点で共通しており、即ちそれが引き出された噛合位置と後退した非噛合位置の間で可動のロック用部材３４を包含しており、これらの位置がロッド２６に対して連結されている滑動体４６の位置と一義的に相互関連していることである。
【００３３】
この場合において、フィーラー要素５４が備えられており、突出部分５６および保持部分５８を備え、これらが滑動体４６（図２２および２３）の保持面７４と相互連結されている。
【００３４】
前記実施例との相違点はフィーラー５４にある。この場合においては、フィーラー５４はケース３８に対して軸周りに回転可能に装着されており、上記軸は滑動体４６の動き方向に対して平行である。フィーラー５４の突出部分５６は固定シート３６と協働し、このシート内にロック用部材３４は噛合している。突出部分５６および保持部分５８は筒耳（図面には示されていない）に噛合する中央部分に関連して半径方向に突出している。フィーラー５４はその噛合位置側へ図示されていない弾性要素により押されている。
【００３５】
図１８、２０、２３はウイングの閉塞状態を示している。この構造においては、ロック用部材３４は固定シート３６に噛合し、滑動体４６はその第１位置にあり、かつフィーラー５４は滑動体４６に対して非噛合位置を占めている。図１９、２１および２２はウイング開放状態を示している。この状態においては、ロック用部材３４は後退位置にあり、滑動体４６はその第２位置にありかつフィーラー５４は噛合位置にあり、そこでは滑動体４６をばね４４により及ばされる動作に対してその第２位置を占めている。この第４実施例の作動は前述の実施例で記述されている作動と同様である。
【図面の簡単な説明】
【００３６】
本発明は添付図面に関連して詳細に記述されるが、それは非限定的な例としてのものである。
【図１】本発明の第１実施例による補助防護モジュール付きドアーの前面図である。
【図２】図１内の矢印IIにより指示された部分の斜視図である。
【図３】図２内の矢印IIIにより指示された部分の斜視図である。
【図４】図２内の矢印IIIにより指示された部分の異なる作動位置における斜視図である。
【図５】図２、３および４内に示されているモジュールの前面図である。
【図６】本発明による補助防護モジュールの第２実施例付きのドアーの前面図である。
【図７】図６内で矢印VIIにより指示されている補助防護モジュールの斜視図である。
【図８】図７内で矢印VIIIによる斜視図で１つの位置における防護モジュールを示している。
【図９】図７内で矢印VIIIによる斜視図で別の位置における防護モジュールを示している。
【図１０】図８の矢印Xによる部分前面図である。
【図１１】図９の矢印XIによる部分前面図である。
【図１２】本発明による補助防護モジュールの第３実施例付きのドアーの前面図である。
【図１３】図１２内の矢印XIIIにより指示されている部分の斜視図である。
【図１４】図１３の１つの位置における矢印XIVによる斜視図である。
【図１５】図１３の別の位置における矢印XIVによる斜視図である。
【図１６】図１４の矢印XVIによる部分前面図である。
【図１７】図１５の矢印XVIIによる部分前面図である。
【図１８】本発明による補助防護モジュールの第４実施例の斜視図である。
【図１９】第２位置における図１８の防護モジュールの斜視図である。
【図２０】図１８の位置における防護モジュールを示している前面図である。
【図２１】図１９の位置における防護モジュールを示している前面図である。
【図２２】図１８内に示されている位置における本発明によるモジュールの第４実施例の部分破断斜視図である。
【図２３】図１９内に示されている位置における本発明によるモジュールの第４実施例の部分破断斜視図である。
【符号の説明】
【００３７】
１０          ドアー
１６          パニック対抗開放装置
３４          ロック用部材
【図１】
2008038596.tif 000003
【図２】
2008038596.tif 000004
【図３】
2008038596.tif 000005
【図４】
2008038596.tif 000006
【図５】
2008038596.tif 000007
【図６】
2008038596.tif 000008
【図７】
2008038596.tif 000009
【図８】
2008038596.tif 000010
【図９】
2008038596.tif 000011
【図１０】
2008038596.tif 000012
【図１１】
2008038596.tif 000013
【図１２】
2008038596.tif 000014
【図１３】
2008038596.tif 000015
【図１４】
2008038596.tif 000016
【図１５】
2008038596.tif 000017
【図１６】
2008038596.tif 000018
【図１７】
2008038596.tif 000019
【図１８】
2008038596.tif 000020
【図１９】
2008038596.tif 000021
【図２０】
2008038596.tif 000022
【図２１】
2008038596.tif 000023
【図２２】
2008038596.tif 000024
【図２３】
2008038596.tif 000025
【外国語明細書】
2008038596.tif 000026
2008038596.tif 000027
2008038596.tif 000028
2008038596.tif 000029
2008038596.tif 000030
2008038596.tif 000031
2008038596.tif 000032
2008038596.tif 000033
2008038596.tif 000034
2008038596.tif 000035
2008038596.tif 000036
2008038596.tif 000037
2008038596.tif 000038
2008038596.tif 000039
2008038596.tif 000040
2008038596.tif 000041
2008038596.tif 000042
2008038596.tif 000043
2008038596.tif 000044
2008038596.tif 000045
2008038596.tif 000046
2008038596.tif 000047
2008038596.tif 000048
2008038596.tif 000049
2008038596.tif 000050
2008038596.tif 000051
2008038596.tif 000052
2008038596.tif 000053
2008038596.tif 000054
2008038596.tif 000055
2008038596.tif 000056
2008038596.tif 000057
2008038596.tif 000058
2008038596.tif 000059
2008038596.tif 000060
2008038596.tif 000061
2008038596.tif 000062
2008038596.tif 000063
2008038596.tif 000064